(57)【要約】【課題】浴用剤ａの分散効率が良く、簡単な構造で容易に製造でき、取り扱いも便利な浴用剤容器を提案する。【解決手段】合成樹脂製の容器本体２の上端開口を合成樹脂製の蓋体３で開閉可能に閉塞して内部に浴用剤ａを収納する収納部Ｒを画成するとともに、壁部に浴用剤溶出用の窓７を備え、且つ、蓋体３頂部裏面を浮力により押し上げる浮４を移動自在に収納した。そして、浴槽に浮かべることにより収納浴用剤ａを湯水に溶出する如く構成した。【選択図】図１
2006333947.tif 000002
【特許請求の範囲】
【請求項１】
合成樹脂製の容器本体２の上端開口を合成樹脂製の蓋体３で開閉可能に閉塞して内部に浴用剤ａを収納する収納部Ｒを画成するとともに、壁部に浴用剤溶出用の窓７を備え、且つ、蓋体３頂部裏面を浮力により押し上げる浮４を移動自在に収納したことを特徴とする浴用剤容器。
【請求項２】
前記容器本体２及び蓋体３が、一端を閉塞し且つ他端を開口した筒状で、且つ、嵌着した開口部相互を係止する係合手段を備えた同一形状である請求項１記載の浴用剤容器。
【請求項３】
前記蓋体３の頂部がドーム状をなし、前記浮４が球状をなす如く構成してなる請求項１又は請求項２のいずれかに記載の浴用剤容器。
【請求項４】
前記浮４を、動植物，乗り物，建築物等の外形を備えた合成樹脂成形体で形成するとともに、前記蓋体３に、容器を浮遊させた際に前記浮４が見える透視部を形成してなる請求項１又は請求項２のいずれかに記載の浴用剤容器。
【請求項５】
前記容器本体２を構成する合成樹脂を前記蓋体３を構成する合成樹脂より比重が大きいものとした請求項１乃至請求項４のいずれかに記載の浴用剤容器。
【発明の詳細な説明】
【技術分野】
【０００１】
本発明は浴用剤容器に関する。
【０００２】
芳香或いは温泉湯の成分の付与，着色，或いは殺菌等の目的で浴用剤を浴槽内に添加するための器具が種々提案されている（例えば、特許文献１及び特許文献２参照）。
【０００３】
特許文献１に記載されている器具は、開閉可能な中空球状のメッシュ容器内に浴用剤を収納し、このメッシュ容器を鎖を介して連結した吸着盤により吊り下げる如く構成し、メッシュ容器を湯の中に浸して収納浴用剤を使用する。
【０００４】
特許文献２に記載されている器具は、内部にフロート機能を付与する空間を有した上部容器と、上部容器に着脱自在で開口部を有する下部容器と入浴剤を収納した収納部及びフランジ部を有した耐水マットとからなる浴用剤容器であって、フランジ部が上部容器と下部容器とにより挟持され、かつ収納部が開口部から突出可能に構成されており、更に、耐水マットのフランジ部を構成する一面がフィルム状部材により形成され、耐水マットの収納部を下部容器の開口部から突出するように組み立てたときに、上部容器とフィルム状部材とにより密封空間を形成する如く構成している。
【特許文献１】特開平10-296272 号公報
【特許文献２】実公平06-000408 号公報
【発明の開示】
【発明が解決しようとする課題】
【０００５】
上記特許文献１のメッシュ容器によって浴用剤を付与する場合は、その吊り下げ位置が浴槽の辺部に特定されるため、溶け出した浴用剤が浴槽内の一部に片寄り、均一に分散させるためには充分な攪拌が必要となる。一方、特許文献２の浴用剤容器では、湯水に浮かすことができるため分散効率が良く、入浴剤の徐溶性に優れ、入浴剤の芳香を浴室内に徐々に放出するという効果を発揮する優れたものであるが、非通気性のフィルム状部材と、通気性、通液性の耐水マットで入浴剤を収納する収納部を形成し、別に非通気性の上部容器及び下部容器を必要とし、また、上部容器及び下部容器及びフィルム状部材によりフロート機能を付与する空間を形成するため、これらの寸法精度をより高いものとしなければならない等の成形上の煩雑さがある。
【０００６】
本発明は上記した点に鑑みてなされたもので、浴用剤の分散効率が良く、また、簡単な構造で特別に高い寸法精度も必要とせず容易に製造でき、取り扱いも便利な浴用剤容器を提案する。また、組み立て作業の簡素化を図れ、製造効率の向上を図れる浴用剤容器を提案する。
【課題を解決するための手段】
【０００７】
本発明の浴用剤容器は容器本体２と、蓋体３と、浮４とを備えている。容器本体２は合成樹脂製で、上端を開口した有底筒状をなし、また、蓋体３も合成樹脂製で、下端を開口した有頂筒状をなし、容器本体２の上端開口を開閉可能に閉塞して容器本体２に嵌着し、内部に浴用剤を収納する収納部Ｒを画成する。蓋体３と容器本体２との嵌着した開口部相互を係止する係合手段とては種々の形態を採用でき、例えば、一方の開口端部外周に係合用の小外径部を周設し、他方の開口端部をその小外径部に嵌合させる形態、また、容器本体２と蓋体３とが同一形状の場合には、それぞれの開口部より突設した係合突片を対向する開口壁部に嵌合する形態を採用できる。尚、容器本体２と蓋体３とをヒンジを介して一体に形成することも可能である。
【０００８】
容器本体２及び蓋体３を形成する合成樹脂としては、浴槽内に浮かしても無害な樹脂であれば種々採用でき、また、湯水に対する比重が１より小さいものであっても大きいものであっても使用可能であり、例えば、ポリオレフィン系樹脂、ポリエステル樹脂等が好ましく使用できる。また、容器本体２と蓋体３は、同一形状であっても別形状であってもよい。容器本体２の比重を蓋体３の比重より重いものを使用して浮遊安定性を図ることも可能である。
【０００９】
浴用剤ａは固形状のものをそのまま収納部Ｒ内に収納しても、或いは通液性のある袋等の被覆体に収納した顆粒状，粉末状の形態のものであっても良く、その種類としては従来使用されている浴用剤を使用できる。
【００１０】
浮４は蓋体頂部裏面を押し上げて容器を浮かす浮力を備え、容器内部に自由な状態で収納したもので、合成樹脂発泡成形体，合成樹脂の中空成形体等を採用できる。この場合の合成樹脂発泡成形体或いは合成樹脂の中空成形体も浴槽内に浮かしても無害なものであれば種々採用できる。浮４の形状或いは大きさは容器本体２及び蓋体３の形状或いは必要浮力にあわせて選択すれば特に限定されず、例えば、球状或いは立方体形状等の多面体形状、或いは動植物，乗り物，建物等の外形を備えたものなどが採用できる。浮４として合成樹脂発泡成形体を採用する場合にはその発泡倍率，独立気泡，連続気泡等の物性も、必要浮力に応じて適宜選択すれば良く、特に限定されない。
【００１１】
課題を解決するための第１の手段として、合成樹脂製の容器本体２の上端開口を合成樹脂製の蓋体３で開閉可能に閉塞して内部に浴用剤ａを収納する収納部Ｒを画成するとともに、壁部に浴用剤溶出用の窓７を備え、且つ、蓋体３頂部裏面を浮力により押し上げる浮４を移動自在に収納した。ここに於いて壁部は、容器本体２及び／又は蓋体３の壁部であって、例えば、容器本体２の底壁，側壁，或いは蓋体３の頂壁，側壁が挙げられ、それらの一部或いは前部に窓７を設けることができる。
【００１２】
第２の手段として、前記第１の手段に於いて、前記容器本体２及び蓋体３が、一端を閉塞し且つ他端を開口した筒状で、且つ、嵌着した開口部相互を係止する係合手段を備えた同一形状である。係合手段として、容器本体２上端開口部より上方に突設した係合突片８を蓋体３の開口部内周に係合し、また、蓋体３下端開口部より下方へ突設した係合突片８を容器本体２の開口部内周に係合する。各係合突片８はそれぞれ複数設けると良く、容器本体２の係合突片８と蓋体３の係合突片８とが交互に嵌合する如く構成する。各係合突片８には更に係合突条９を設けて対向する壁面の係合凹溝10と係合させる如く構成しても良い。
【００１３】
第３の手段として、前記第１の手段又は第２の手段のいずれかの手段に於いて、前記蓋体３の頂部がドーム状をなし、前記浮４が球状をなす如く構成した。この場合の球状は中実であっても中空であっても良い。
【００１４】
第４の手段として、前記第１の手段又は第２の手段のいずれかの手段に於いて、前記浮４を、動植物，乗り物，建築物等の外形を備えた合成樹脂成形体で形成するとともに、前記蓋体３に、容器を浮遊させた際に前記浮４が見える透視部を形成した。透視部は蓋体３の一部、特に頂部を透明材で形成したり、或いは全部を透明材で形成したりすることにより形成することができる。
【００１５】
第５の手段として、前記第１の手段乃至第４の手段のいずれかの手段に於いて、前記容器本体２を構成する合成樹脂を前記蓋体３を構成する合成樹脂より比重が大きいものとした。
【発明の効果】
【００１６】
本発明の浴用剤容器は、湯水上に浮かせて使用するため浴用剤の分散効率が良く、また、構造が簡単で密閉空間を必要としないため寸法精度をそれ程要求されず、その結果容易に製造できる。また、蓋体３の開閉により浴用剤ａの補充，交換を行えるため、取り扱いも極めて便利である。
【００１７】
また、前記容器本体２及び蓋体３が、一端を閉塞し且つ他端を開口した筒状で、開口部相互を係止する係合手段を備えた同一形状をなす如く構成した場合には、容器本体２及び蓋体３を同一の型で形成でき、製造効率の向上を図れる。また、組み立て時にも容器本体２及び蓋体３を当初一緒にした状態で行えるため、組み立て作業をより簡素化できる。
【００１８】
また、前記蓋体３の頂部がドーム状をなし、前記浮４が球状をなす如く構成すれば、浮４は自ずから蓋体３の頂部裏面中央部に補正されてより安定した浮遊状態を維持できる効果がある。
【００１９】
また、前記浮４を、動植物，乗り物，建築物等の外形を備えた合成樹脂成形体で形成するとともに、前記蓋体３に、容器を浮遊させた際に前記浮４が見える透視部を形成すれば、浮遊状態の浮４を外部から見ることができるため、視覚的興味をそそり、玩具的効果も発揮する。
【００２０】
また、容器本体２を構成する合成樹脂を蓋体３を構成する合成樹脂より比重が大きいものとすれば、より安定した浮遊状態を維持できるという効果がある。
【発明を実施するための最良の形態】
【００２１】
以下、本発明の実施例の形態を図面を参照して説明する。
【００２２】
図１及び図２は本発明浴用剤容器の一例を示し、該浴用剤容器１は、容器本体２と、蓋体３と、浮４とを備えている。
【００２３】
容器本体２は底部５がドーム状に下方に突出した上端開口の有底筒状形態をなし、換言すれば断面形状が半楕円形状をなす上端開口の有底筒状形態をなし、また、周壁６部分には等間隔に縦長の浴用剤溶出用の窓７を複数穿設している。更に、上端開口部より係合手段を構成する係合突片８を等間隔に四箇所の突設しており、その横幅が各係合突片８間の間隙幅と一致する如く構成している。各係合突片８は、図２に示す如く、先端各コーナーが湾曲した四角板状をなし、外面に係合突条９を突設しており、上端開口部の内側面と同外径の外径面を備えている。更に、各係合突片８間の容器本体周壁部上部所定位置には、蓋体３の後述する各係合突条が係合する係合凹溝10をそれぞれ凹設している。
【００２４】
蓋体３は容器本体２と同一形状であり、容器本体２を逆さまにした状態のもので、従って、容器本体２と同一の型での形成が可能となる。また、頂部11がドーム状をなす下端開口の有頂筒状形態をなし、換言すれば、断面形状が半楕円形状をなす下端開口の有頂筒状形態をなし、周壁12部分には等間隔に縦長の浴用剤溶出用の窓７を多数穿設している。下端開口部より係合手段を構成する係合突片８を等間隔に四箇所の垂設しており、その間の容器本体周壁部下端所定位置には係合凹溝10をそれぞれ凹設している。
【００２５】
本例の場合には、容器本体２内に浴用剤ａを載置した後、浮４を入れた蓋体３を嵌合して形成する。蓋体３の各係合突片８を容器本体２の開口内面に、容器本体２の各係合突片８を蓋体３の開口内面にそれぞれ嵌合させ、また、容器本体周壁６上面に蓋体周壁11下面を当接させて蓋体３を容器本体２に嵌着し、内部に収納部Ｒを画成する。この際容器本体２と蓋体３各係合突片８はそれぞれ対応する係合凹溝10と係合する。使用に当たっては、浴槽の湯水上に浮かせれば良い。また、収納した浴用剤ａがなくなれば、蓋体３を外して再び装着することができる。
【００２６】
浮４は球状をなす合成樹脂の発泡成形体であり、蓋体３内に移動自在に浮遊して蓋体３の頂部裏面を押し上げる働きをし、ひいては浴用剤ａを収納した容器全体を浮かせる働きをする。
【００２７】
上記の如く構成した浴用剤容器１を使用するに当たっては、図１の状態で浴槽内の湯水に浮かべると、窓７の存在で容器本体２内の収納部Ｒに収納した浴用剤ａが溶出するため、浴槽の中央部に於いて溶出させることができ、必要に応じて手等により拡散する。また、必要に応じて浮かす位置を移動させれば良い。浴用剤ａの交換に当たっては、例えば、容器本体２を掴んで蓋体３を引き上げれば蓋体３が開き、浴用剤ａを交換或いは補充した後蓋体３を浮４を収納した状態で再び閉じれば良い。この際容器本体２及び蓋体３の各係合突片８がそれぞれ隣接する係合突片８と摺動して容易に嵌合することができる。
【００２８】
図３は他の例を示し、本例では浮４として、中空球状の合成樹脂成形体を使用している。その他の構成は図１の例と同様であるため、同符号を付して説明を省略する。
【００２９】
図４は更に他の例を示し、本例では浮４として、魚の形をした合成樹脂の中空成形体を使用している。また、容器本体２及び蓋体３を透明な合成樹脂により形成しており、従って、蓋体３上部が透視部となり浴槽に浮かした際に上方より浮４を見ることができる様に構成している。その他の構成は図１の例と同様であるため、同符号を付して説明を省略する。
【図面の簡単な説明】
【００３０】
【図１】本発明浴用剤容器の半断面図である。（実施例１）
【図２】本発明浴用剤容器の係合手段を説明する要部斜視図である。（実施例１）
【図３】本発明浴用剤容器の半断面図である。（実施例２）
【図４】本発明浴用剤容器の半断面図である。（実施例３）
【符号の説明】
【００３１】
２…容器本体，３…蓋体，４…浮，10…容器本体底壁，11…容器本体周壁，
７…浴用剤溶出用の窓，Ｒ…収納部，ａ…浴用剤，
【図１】
2006333947.tif 000003
【図２】
2006333947.tif 000004
【図３】
2006333947.tif 000005
【図４】
2006333947.tif 000006